(57)【要約】【課題】プラスチックキャップを外すには、包丁でプラスチックキャップを切るか、力任せに引っ張ってはずしていたので、プラスチックキャップで指を切ったりして危険であった。これらの課題を解決し安全で簡単にできるように発明したものである。【解決手段】本体（１）の、中央に爪付きフック（２）のガイド用スライド溝（３）と、斜めに高さ調整用スライド溝（４）を十文字に設け、高さ調整用スライド溝（４）に爪付きフック（２）をネジ（５）止めし、爪付フック（２）をプラスチックキャップ（１０）の裾に引っかけ、高さ調整用スライド溝（４）をスライドさせて、プラスチックキャップ（１０）の高さに合わせて、瓶（１１）を固定して、柄（６）を持ち上げ、てこの原理を応用して安全で簡単にプラスチックキャップ（１０）をはずすことができるようにした。本発明は、以上のことを特徴とするプラスチックキャップはずしである。【選択図】　　　　図３
2004123177.tif 000002
【特許請求の範囲】
【請求項１】
本体（１）の、中央に爪付きフック（２）のガイド用スライド溝（３）と、斜めに高さ調整用スライド溝（４）を十文字に設け、高さ調整用のスライド溝（４）に爪付きフック（２）をネジ（５）止めし、プラスチックキャップ（１０）の裾に爪付フック（２）を引っかけ、瓶（１１）を固定し柄（６）を持ち上げて、てこの原理を応用してはずすことができる爪付きフック（２）のガイド用スライド溝（３）と、斜めに高さ調整用スライド溝（４）を十文字に有することを特徴とするプラスチックキャップはずし。
【発明の詳細な説明】
【０００１】
【発明の属する技術分野】
本体中央に爪付きフックのガイド用スライド溝と、斜めに高さ調整用スライド溝を十文字に設け爪付きフックをスライドさせて、プラスチックキャップの裾に爪付きフックを引っかけて、瓶を固定し柄を持ち上げて、てこの原理を応用してはずすことのできるプラスチックキャップはずしに関するものである。
【０００２】
【従来の技術】
従来、プラスチックキャップをはずすには、包丁でプラスチックキャップを切るか力任せに引っ張ってはずしていたので大変危険であった。
従来の技術としては、「キャップ外し器具」（公開番号　特開平１０−３１０１９９）把手の先端にフック状の爪をピンで取り付けたものがある。フック状の爪をピンで止めたもので、種々のプラスチックキャップの高さの違いには対応できなかった。
本発明は、本体に爪付きフックのガイド用の溝と、斜めに高さ調整用のスライド溝を十文字に設け、高さ調整用スライド溝に爪付きフックをネジ止めしたもので、「キャップ外し器具」とは大きく異なったものである。
【０００３】
【発明が解決しようとする課題】
プラスチックキャップを外すには、包丁でプラスチックキャップを切るか、力任せに引っ張ってはずしていたので、プラスチックキャップで指を切ったりして危険であった。これらの課題を解決し安全で簡単にできるように発明したものである。
【０００４】
【課題を解決するための手段】
本体（１）の、中央に爪付きフック（２）のガイド用スライド溝（３）と、斜めに高さ調整用スライド溝（４）を十文字に設け、高さ調整用スライド溝（４）に爪付きフック（２）をネジ（５）止めし、爪付フック（２）をプラスチックキャップ（１０）の裾に引っかけ、高さ調整用スライド溝（４）をスライドさせて、プラスチックキャップ（１０）の高さに合わせて、瓶（１１）を固定し柄（６）を持ち上げ、てこの原理を応用して安全で簡単にプラスチックキャップ（１０）をはずすことができるようにした。
本発明は、以上の構成よりなるプラスチックキャップはずしである。
【０００５】
【発明の実施の形態】
本考案を図面にもとずいて説明する。３図のように、本体（１）の、中央に爪付きフック（２）のガイド用スライド溝（３）と、斜めに高さ調整用スライド溝（４）を十文字に設け、高さ調整用スライド溝（４）に爪付きフック（２）をネジ（５）止めし、プラスチックキャップ（１０）の裾に爪付フック（２）を引っかけ、瓶（１１）を固定して柄（６）を持ち上げ、てこの原理を応用して安全で簡単にプラスチックキャップ（１０）をはずすことができる。
【０００６】
【実施例】
本考案を図面にもとずいて説明する。３図のように、本体（１）の、中央に爪付きフック（２）のガイド用スライド溝（３）と、斜めに高さ調整用スライド溝（４）を十文字に設け、スライド溝（４）に爪付きフック（２）をネジ（５）と平ワッシャ（７）とスペーサー（８）と蝶ネジ（９）で止め、爪付きフック（２）をガイド用スライド溝（３）と高さ調整用スライド溝（４）に沿ってスムーズにスライドできるようにした。
爪付フック（２）をプラスチックキャップ（１０）の裾に引っかけ、高さ調整用スライド溝（４）をスライドさせて、プラスチックキャップ（１０）の高さに合わせられるようにした。
市販のプラスチックキャップ（１０）の高さは、ほとんど１４〜２５ミリであったので、この範囲の高さ調整ができるように本体（１）下部面に対して斜めに高さ調整用スライド溝（４）を設けた。
次に、瓶（１１）を固定して、柄（６）の部分を持ち上げると、プラスチックキャップ（１０）の裾に爪付フック（２）がしっかりと食い込み、プラスチックキャップ（１０）が持ち上げられてはずれる。
てこの原理を応用することによりわずかな力で安全で簡単にプラスチックキャップ（１０）をはずすことができた。
使用する時は、蝶ネジ（６）を少し緩めて使用するが、使用後は本体のガイド用スライド溝（３）の中に爪付きフック（２）を収納し、蝶ネジ（９）をしめてロックすることができ引き出しなどに収納しても安全である。
【０００７】
【発明の効果】
そこで本発明は、本体（１）の、中央に爪付きフック（２）のガイド用スライド溝（３）と、斜めに高さ調整用スライド溝（４）を十文字に設けてあるので、プラスチックキャップ（１０）の高さに応じて爪付きフック（２）がガイド用スライド溝（３）と高さ調整用スライド溝（４）に沿ってスムーズにスライドでき、簡単に高さ調整ができその使用効果は大きい。
爪付フック（２）をプラスチックキャップ（１０）の裾に引っかけ、瓶（１１）をしっかり持って、柄（６）の部分を持ち上げると、プラスチックキャップ（１０）の裾に爪付フック（２）がしっかりと食い込み、プラスチックキャップ（１０）が持ち上げられてはずれる。このように、てこの原理を応用することによりわずかな力で安全で簡単にプラスチックキャップ（１０）をはずすことができその使用効果は大きい。
また、使用する時は、蝶ネジ（６）を少し緩めて使用するが、使用後は本体のガイド用スライド溝（３）の中に爪付きフック（２）を収納し、蝶ネジをしめてロックすることができ引き出しなどに収納しても安全でその使用効果は大きい。
本発明は、誰にでも簡単に使用でき、ゴミの分別収集にも役立ちその使用効果は大きい。
【図面の簡単な説明】
【図１】プラスチックキャップはずしの断面図
【図２】爪付きフックとネジ止め部分の詳細図
【図３】プラスチックキャップはずしの使用図
【符号の説明】
１　　本体
２　　爪付きフック
３　　ガイド用スライド溝
４　　高さ調整用スライド溝
５　　ネジ
６　　柄
７　　平ワッシャ
８　スペーサー
９　　蝶ネジ
１０　　プラスチックキャップ
１１　　瓶
【図１】
2004123177.tif 000003
【図２】
2004123177.tif 000004
【図３】
2004123177.tif 000005